(57)【要約】【課題】高機能の加湿装置を提供する。【解決手段】水を貯水させるための水槽と、送風機と、送風機により空気中の物質を吸込口から捕集する防塵フィルタ部と、吸水性及び通気性を有し、且つ送風機からの風を受ける加湿フィルタ部と、情報を報知するための出力部と、制御部（１０）と、を備える加湿装置であって、加湿フィルタ部は、一部が水槽内に位置し、制御部（１０）は、送風機による送風時間を計測する時間計測部と、計測される送風時間の長さと、防塵フィルタ部の汚れ度合いに相関する係数とから、第１時間長さを取得する第１時間取得部と、加湿フィルタ部の吸水部分に送風可能な第２時間長さを取得する第２時間取得部と、を含む。取得される第１時間長さと第２時間長さとから、手入れ案内を含むガイド情報を出力部に出力させるか否かを判定する。【選択図】図６
2015040688.tif 000002
【特許請求の範囲】
【請求項１】
水を貯水させるための水槽と、
送風機と、
前記送風機により空気中の物質を吸込口から捕集する防塵フィルタ部と、
吸水性及び通気性を有し、且つ前記送風機からの風を受ける加湿フィルタ部と、
情報を報知するための出力部と、
制御部と、を備える加湿装置であって、
前記加湿フィルタ部は、一部が前記水槽内に位置し、
前記制御部は、
前記送風機による送風時間を計測する時間計測部と、
計測される送風時間の長さと、前記防塵フィルタ部の汚れ度合いに相関する係数とから、第１時間長さを取得する第１時間取得部と、
前記加湿フィルタ部の吸水部分に送風可能な第２時間長さを取得する第２時間取得部と、を含み、
取得される前記第１時間長さと前記第２時間長さとから、手入れ案内を含むガイド情報を前記出力部に出力させるか否かを判定する出力判定部と、を含む、加湿装置。
【請求項２】
前記第１時間長さは、前記計測される送風時間の長さに亘って前記係数を積算した値を示し、
前記係数の値を、取得される前記第２時間長さ従い可変に設定する、請求項１に記載の加湿装置。
【請求項３】
水槽内に、水が有るか否かを検出するための水検出部を、さらに備え、
前記第２時間取得部は、
前記水検出部により水が有ると検出されている時間長さを、前記第２時間長さとして取得する、請求項１または２に記載の加湿装置。
【請求項４】
前記防塵フィルタ部の汚れ度合いを、前記送風機の送風量から取得する、請求項１から３のいずれかに記載の加湿装置。
【請求項５】
前記制御部は、
前記出力判定部が、前記ガイド情報を前記出力部に出力させると判定した場合に、
発光部を点灯させ、
前記点灯の状態において、外部から出力要求を受付けたとき、当該ガイド情報を前記出力部に出力させる、請求項１から４のいずれかに記載の加湿装置。
【請求項６】
前記出力判定部は、
前記第１時間長さと第１閾値とを比較する第１比較部と、
前記第２時間長さと第２閾値とを比較する第２比較部と、を有し、
前記第１比較部の第１比較結果および第２比較部の第２比較結果から、前記ガイド情報を前記出力部に出力させるか否かを判定する比較判定部を有し、
前記比較判定部は、
前記第１比較部の第１比較結果および第２比較部の第２比較結果から、前記加湿フィルタ部の手入れ案内を含む前記ガイド情報および当該加湿フィルタ部を除く他の部分の手入れ案内を含むガイド情報のうちのいずれを前記出力部に出力させるかを判定する選択的出力判定部を含む、請求項５に記載の加湿装置。
【発明の詳細な説明】
【技術分野】
【０００１】
この発明は加湿装置に関し、特に、水を用いて加湿した空気を送風する加湿装置に関する。
【背景技術】
【０００２】
室内の空気には、塵埃、花粉、タバコの煙、呼気等のように、人体に不快または有毒とされる様々な物質が含まれている。特に近年では、住宅が高気密化されていることから、有害物質が室内に溜まり易い。そのため、大気汚染のひどい地域や、花粉症の患者がいる家庭や職場等では部屋の窓を開ける自然換気が行ないにくいので、室内の空気を浄化する浄化用フィルタにより空気を清浄する機能を有する空気清浄機が広く普及してきている。
【０００３】
空気を浄化するとともに、空気をより快適な湿度に調節するために、加湿機能を持たせた空気清浄機も製品化されており、このような空気清浄機では、浄化用フィルタ部を通過することによって浄化された空気が、さらに加湿用フィルタを通過することによって加湿される。
【０００４】
このような加湿機能を備える加湿器が、特開平１０−１４１７１６号公報（特許文献１）、特開２０１３−０３２８６７号公報（特許文献２）および特開２０１２−２２９８２７号公報（特許文献３）に開示される。
【先行技術文献】
【特許文献】
【０００５】
【特許文献１】特開平１０−１４１７１６号公報
【特許文献２】特開２０１３−０３２８６７号公報
【特許文献３】特開２０１２−２２９８２７号公報
【発明の概要】
【発明が解決しようとする課題】
【０００６】
近年、加湿装置のさらなる高機能化が要求されるようになってきている。したがって、この発明は、このような課題に鑑みてなされたものであり、より高機能化を図った加湿装置を提供することを目的とする。
【課題を解決するための手段】
【０００７】
本発明に係る加湿装置は、水を貯水させるための水槽と、送風機と、送風機により空気中の物質を吸込口から捕集する防塵フィルタ部と、吸水性及び通気性を有し、且つ送風機からの風を受ける加湿フィルタ部と、情報を報知するための出力部と、制御部と、を備える。加湿フィルタ部は、一部が水槽内に位置する。制御部は、送風機による送風時間を計測する時間計測部と、計測される送風時間の長さと、防塵フィルタ部の汚れ度合いに相関する係数とから、第１時間長さを取得する第１時間取得部と、加湿フィルタ部の吸水部分に送風可能な第２時間長さを取得する第２時間取得部と、を含み、取得される第１時間長さと第２時間長さとから、手入れ案内を含むガイド情報を出力部に出力させるか否かを判定する出力判定部と、を含む。
【０００８】
好ましくは、第１時間長さは、計測される送風時間の長さに亘って係数を積算した値を示し、係数の値は、取得される第２時間長さ従い可変に設定される。
【０００９】
好ましくは、水槽内に、水が有るか否かを検出するための水検出部を、さらに備え、第２時間取得部は、水検出部により水が有ると検出されている時間長さを、第２時間長さとして取得する。
【００１０】
好ましくは、防塵フィルタ部の汚れ度合いは、送風機の送風量から取得される。
好ましくは、制御部は、出力判定部が、ガイド情報を出力部に出力させると判定した場合に、発光部を点灯させ、点灯状態において、外部から出力要求を受付けたとき、当該ガイド情報を出力部に出力させる。
【００１１】
好ましくは、出力判定部は、第１時間長さと第１閾値とを比較する第１比較部と、第２時間長さと第２閾値とを比較する第２比較部と、を有し、第１比較部の第１比較結果および第２比較部の第２比較結果から、ガイド情報を出力部に出力させるか否かを判定する。
【００１２】
好ましくは、出力判定部は、第１比較部の第１比較結果および第２比較部の第２比較結果から、加湿フィルタ部の手入れ案内を含むガイド情報および当該加湿フィルタ部を除く他の部分の手入れ案内を含むガイド情報のうちのいずれを出力部に出力させるかを判定する選択的出力判定部を含む。
【発明の効果】
【００１３】
この発明によれば、より高機能化を図った加湿装置を提供することを可能とする。
【図面の簡単な説明】
【００１４】
【図１】本発明の実施の形態１に係る空気清浄機の全体斜視図である。
【図２】本発明の実施の形態１に係る空気清浄機の背面側から見た部品構成図である。
【図３】本発明の実施の形態１に係る吸水フィルタの構成図である。
【図４】本発明の実施の形態１に係る水槽およびフロースイッチの構成を示す図である。
【図５】本発明の実施の形態１に係る加湿フィルタユニットおよびタンク受けの斜視図である。
【図６】本発明の実施の形態１に係る空気清浄機の機能構成図である。
【図７】本発明の実施の形態１に係る処理フローチャートである。
【図８】本発明の実施の形態１に係るテーブルを示す図である。
【図９】本発明の実施の形態１に係るお手入れ時間の算出値を説明するための図である。
【図１０】本発明の実施の形態６に係る給水時期を報知する処理フローチャートである。
【図１１】本発明の実施の形態１０に係る水槽内の汚れを検出するための構成図である。
【発明を実施するための形態】
【００１５】
以下、本発明に係る加湿装置に相当する空気清浄機１０００について図面を参照しながら説明する。各実施の形態の図面において、同一の参照符号は、同一部分または相当部分を表わすものとし、重複する説明は繰り返さない場合がある。各実施の形態における構成を適宜組み合わせて用いることは当初から予定されていることである。
【００１６】
[実施の形態１]
（空気清浄機の構成）
図１から図６を参照して、本実施の形態における空気清浄機１０００の構成について説明する。
【００１７】
図１および図２を参照して、本実施の形態における空気清浄機１０００は、ハウジング１を有し、前面２３の側に、吹出口１７および吸込口１８が設けられ、側面側にタンク受け４０および給水タンク４１が設けられている。空気清浄機１０００のハウジング１の上面には、操作パネル１００が設けられている。
【００１８】
吹出口１７には、並置された複数の縦姿勢の風向板１７ａおよび横姿勢（略水平方向に延びる姿勢）の風向板１７ｂが設けられている。
【００１９】
吸込口１８は、正面視において略矩形形状を有している。この吸込口１８には、防塵フィルタが縦姿勢に着脱可能に装着されている。
【００２０】
空気清浄機１０００の後面側の後パネル２ｂには、吸込口２ａ、吹出口１５、汚れ検出部１５０、および温湿度センサ１６０が設けられる。汚れ検出部１５０は、臭気センサ１５０ａと埃センサ１５０ｂを含む。吸込口２ａの裏面には、埃等を捕集する防塵フィルタに相当するプレフィルタが設けられる。
【００２１】
図２を参照して、ハウジング１の内部には、浄化用の各種フィルタを収納する浄化用フィルタ収納部（図示せず）が形成されている。浄化用フィルタ収納部は、ハウジング１の後面側に開口し、直方体状に窪んだ空間である。浄化用フィルタ収納部には、後側より順に、脱臭フィルタ７ａおよび集塵フィルタ７ｂが重ね合わされた状態で収納されている。
【００２２】
脱臭フィルタ７ａは、空気中の臭い成分であるアセトアルデヒドやアンモニアや酢酸等を吸着する機能を有する。脱臭フィルタ７ａは、長方形をなす枠体にポリエステル製の不織布を取り付け、その上に活性炭を均一に分散配置し、その上からポリエステル製の不織布を被せた構造を有する。
【００２３】
集塵フィルタ７ｂは、微細な塵埃を捕集する機能を有し、いわゆるＨＥＰＡ（Ｈｉｇｈ  Ｅｆｆｉｃｉｅｎｃｙ  Ｐａｒｔｉｃｕｌａｔｅ  Ａｉｒ）フィルタで構成されている。ＨＥＰＡフィルタは、ポリエステルおよびビニロン系不織布からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造を有する。
【００２４】
浄化用フィルタ収納部の開口を覆う着脱可能な後パネル２ｂが備えられている。脱臭フィルタ７ａおよび集塵フィルタ７ｂは、後パネル２ｂによって浄化用フィルタ収納部からの脱落が防止される。後パネル２ｂは概ね矩形の板状をなし、マトリックス状に複数の小孔からなる吸込口２ａが形成され、裏面にはメッシュ状の繊維シートからなるプレフィルタが貼り付けられる。集塵フィルタ７ｂを通すまでもない比較的大きな埃等を、集塵フィルタ７ｂの上流側であるプレフィルタで捕集することにより、集塵フィルタ７ｂの目詰まり等を抑制できる。
【００２５】
集塵フィルタ７ｂの前側に、加湿フィルタユニット３および貯水槽に相当する水槽４が配設されている。水槽４はハウジング１の底板上に載置され、水槽４に支持される加湿フィルタユニット３と共に、ハウジング１の一側部（正面視において右側）から外部に引き出すことが可能である。
【００２６】
加湿フィルタユニット３は、吸水性および通気性を有し、ジグザグに折り畳まれた円盤状の吸水フィルタ３１および吸水フィルタ３１を収納保持する円環状の保持枠３０からなる。吸水フィルタ３１は適宜の厚さを有するフィルタ素材を打ち抜いて作製される。保持枠３０は合成樹脂製である。保持枠３０の外周面には、幅方向の中央部に全周に亘って歯が形成されたリングギア３２が設けてある。
【００２７】
保持枠３０のリングギア３２は保持枠３０の上方に配した駆動ユニット５（図６参照）の駆動歯車（図示せず）に噛合されている。駆動ユニット５は駆動歯車の他に、駆動歯車と噛合する伝動歯車および出力軸が伝動歯車に連結された駆動モータ（図示せず）を備え、ハウジング１内の適宜位置に固定されている駆動モータの回転に連動して、駆動ユニット５が回転し、当該回転駆動力は噛合されたリングギア３２を回転させるように作用する。これにより、円盤状の吸水フィルタ３１は、仮想的な中心３３（図３参照）について周方向に同心円状に回転する。図３では、吸水フィルタ３１の外周側の一部が水槽４にて浸水可能に配置される。
【００２８】
図４（Ａ）を参照して、水槽４内の下部には、軸心が水槽４の幅方向に沿った２つの鼓形の支持ローラ６，６が水槽４の長手方向に振り分け配置されている。各支持ローラ６は、水槽４の幅方向の両側壁に回転自在に支持されている。
【００２９】
各支持ローラ６はリングギア３２の両側面に転接することにより、加湿フィルタユニット３の保持枠３０を下部から支えると共に、水槽４の幅方向の位置決めをする。加湿フィルタユニット３は下部を水槽４の内部に差し込み、垂直に立ち上がる姿勢で支持されている（図５参照）。
【００３０】
水槽４は、上部が開放された皿形の容器であり、ハウジング１の底板に設けたガイド部４ｇに嵌め込むことにより、浄化用フィルタ収納部の内部で集塵フィルタ７ｂの前側に位置決めされている。水槽４は、ガイド部４ｇに沿ってスライド移動することにより、ハウジング１の一側面から外部に引き出すことが可能である。水槽４の引き出し側の端部には、広幅のタンク受け４０が連設してある。タンク受け４０は、給水タンク４１が着脱可能に装着されて、給水タンク４１からの水を受けて貯水するための加湿トレー４１ａを有する。加湿トレー４１ａには、水位を検出するためのフロートスイッチ４００が設けられる。フロートスイッチ４００の詳細は、図４（Ｂ）を参照して後述する。
【００３１】
図２を参照して、給水タンク４１は、一側の端部に給水栓４２を有する直方体形状の容器であり、給水栓４２の側を下向きとした倒立姿勢にてタンク受け４０に装着される。給水栓４２は、定水位弁を内蔵している。この定水位弁は、タンク受け４０への給水タンク４１の装着時に、タンク受け４０の底面に立設した押し上げ突起４３（図４（Ａ）参照）に押し上げられて開放し、給水タンク４１内の収容水を水槽４内に送り出し、水槽４の内部の貯留水の水位を一定に保つ機能を有する。
【００３２】
加湿フィルタユニット３の前側に、隔壁を隔てて送風機が配置される。送風機は吸水フィルタ３１に交差する方向に送風する（図６参照）ファン８１およびファン８１を回転駆動するファンモータ８２（図６参照）を備える。本実施の形態では、ファン８１はシロッコファンであるが、その他、プロペラファンやクロスフローファンを採用してもよい。ファンモータ８２は駆動制御の容易性を重視して直流モータを用いている。
【００３３】
送風機の上方側に位置する空間において、吹出風路が形成されている。ハウジング１の上面は、後側部分が前側部分より低くなるように傾斜し、この傾斜した後側部分に、当該吹出風路に連通した上向き開口の吹出口１５が設けられている。
【００３４】
送風機のファンモータ８２の駆動によりファン８１が回転し、後パネル２ｂの吸込口２ａから外部の空気（室内の空気）が吸い込まれ、吸い込まれた空気は、脱臭フィルタ７ａおよび集塵フィルタ７ｂを通過する際に、臭いや塵埃のない空気に浄化される。
【００３５】
浄化された空気は、吸水フィルタ３１で加湿され、または加湿をされずに、通過してファン８１の中心部に吸い込まれる。ファン８１の中心部に吸い込まれた空気は、ファンブレード同士の間を通り、ファン８１の外周から吐き出され、吹出風路を流れて上方に導かれて吹出口１５から室内に吹き出される。
【００３６】
ハウジング１内の通風路の吹出口１７に近い箇所に、ファン２１ｃを取り付けた回転軸が横向きに配置されたクロスフローファン２１が設けてある。回転軸は通風路の両側の側壁に回転自在に支持されている。クロスフローファン２１の駆動用のファンモータ２１ａは通風路の外に設置され、ファンモータ２１ａの出力軸が回転軸と同軸に配置されている。
【００３７】
通風路のクロスフローファン２１と吹出口１７との間の壁面に、正負のイオンを発生させるイオン発生器２２が配設されている。イオン発生器２２には、針状の放電電極（不図示）が風路内に露出するように設けられ、放電電極に給電部（不図示）から交流波形またはインパルス波形の電圧を供給することによって放電電極がイオンを発生する。
【００３８】
クロスフローファン２１のファンモータ２１ａおよびイオン発生器２２が駆動されると、クロスフローファン２１によって吹出口１７から吸い込まれた空気に、イオン発生器２２により発生したイオンが付加され、イオンを含む空気が吹出口１７より前方側に吹き出される。
【００３９】
次に、上記構成の空気清浄機１０００による空気の流れについて説明する。空気清浄機１０００は床面に設置されている。空気清浄機１０００の背面側から吸引された空気は、脱臭フィルタ７ａおよび集塵フィルタ７ｂを通過し、清浄化される。また、清浄化された空気は、加湿フィルタユニット３により加湿される（加湿されない場合もある）。
【００４０】
上面の吹出口１５から斜め後方上向きに吹き出された清浄空気は、壁、天井等を経て室内を循環した後、空気清浄機１０００の前面側に戻り、空気清浄機１０００の前面側に当たる。
【００４１】
空気清浄機１０００の前面側に当たった空気はイオン用の吸込口１８に吸引される。吸込口１８に吸引された空気は防塵フィルタにて埃が除去され、通風路２０を流れるときにイオンを付加され、吹出口１７から前方側に吹き出される。吹出口１７から前方側に吹き出された空気も循環して空気清浄機の前面側に戻る。
【００４２】
（機能構成）
図６を参照して、空気清浄機１０００の制御系統に係る構成ついて説明する。空気清浄機１０００の制御系統は、ユーザが操作する操作パネル１００、操作パネル１００からの操作信号を受け付け、ファンモータ８２およびファンモータ２１ａ等の各部の動作を制御する制御部１０、制御部１０へ各種物理量を入力する汚れ検出部１５０のセンサなどにより構成されている。
【００４３】
制御部１０は、記憶部１０ａ、記憶部１０ａに予め格納されている制御プログラムに従って入出力制御および演算を実行するＣＰＵ（Central Processing Unit）、時間を計時するためのタイマ、および外部回路との入出力を行う入出力インタフェースを有している。制御部１０は、入出力インタフェースを介して、汚れ検出部１５０、温湿度センサ１６０、イオンセンサ３０ａ、ファンモータ８２の回転数を検出する回転数検出部２１０およびリードスイッチ２８０からの検出値を取り込む。記憶部１０ａは、プログラム等の情報を記憶するＲＯＭ（Read Only Memory）およびＲＡＭ（Random Access Memory）など、不揮発性および揮発性の記憶媒体からなる。
【００４４】
回転数検出部２１０は、例えば、ファンモータ８２から得られる回転に応じたパルス信号のパルス数をカウントすることにより、回転数を検出するが、検出方法はこれに限定されない。リードスイッチ２８０は、タンク受け４０内の水位を検知する水位検出部を構成するが、水位検出機能の詳細は後述する。
【００４５】
制御部１０には、操作パネル１００の複数の表示ランプ１２０、停止ボタン１２１、空気清浄入ボタン１２２、加湿空気清浄入ボタン１２３、風量切換ボタン１２４、音声ガイドボタン１２５、および表示部１２６が接続されている。操作パネル１００に対する操作は、制御部１０によって受け付けられる。具体的には、停止ボタン１２１の操作により、空気清浄機１０００の運転停止が制御部１０によって受け付けられる。空気清浄入ボタン１２２の操作により、加湿せずに空気清浄する空気清浄運転モードの選択が、加湿空気清浄入ボタン１２３の操作により、加湿しながら空気清浄する加湿空気清浄運転モード（以下、加湿モードともいう）の選択が、制御部１０によって受け付けられる。
【００４６】
複数の表示ランプ１２０には、機器の清掃などのお手入れ時期を報知するためのお手入れランプ、給水時期を報知するための給水ランプ等が含まれる。ＣＰＵは、対応のランプを点灯・消灯させるための制御信号および表示部１２６に情報を表示させるための制御信号を出力する。
【００４７】
風量切換ボタン１２４が操作される度に、風量を手動で設定する風量モードである「静音」、「中」、「強」、および風量を自動で設定する風量モードである「自動」の４つの風量モードの切り替えが、例えばこの順に制御部１０によって受け付けられる。
【００４８】
音声ガイドボタン１２５の操作により、空気清浄機１０００の運転および操作に関する情報が、空気清浄機１０００に設けられたスピーカセット５００内のスピーカ５０１により、音声を用いてアナウンス（報知）される。
【００４９】
制御部１０には、第１モータ駆動回路１０３、第２モータ駆動回路１０４、モータ駆動回路１０５、および高電圧回路１０６を介して、ファン８１のファンモータ８２、ファン２１ｃのファンモータ２１ａ、加湿フィルタユニット３の駆動ユニット５、およびイオン発生器２２が接続されている。
【００５０】
制御部１０は、操作パネル１００から受け付けた操作信号および上述の各センサの検出値に基づいて、上記各駆動回路および高電圧回路に指令信号を出力し、ファンモータ８２、ファンモータ２１ａ、駆動ユニット５、およびイオン発生器２２を制御する。
【００５１】
さらに、制御部１０は、外部運転制御信号に基づき、ファンモータ８２、ファンモータ２１ａ、駆動ユニット５、およびイオン発生器２２を制御する。外部運転制御信号には、たとえば、空気清浄機１０００のリモコンスイッチ（図示せず）から発信される運転制御信号、エアーコンディショナーから発信される運転制御信号、床面自走式のお掃除ロボットから発信される運転制御信号等が挙げられる。
【００５２】
（水位検出機能）
リードスイッチ２８０を用いた水位検出機能を説明する。図４（Ａ）を参照して、加湿トレー４１ａ内に配設された水位検出機能のためのフロートスイッチ４００（図４（Ａ）参照）は、浮揚体であるフロートプレート４１０と、これを支持する支持軸４２０を含む。図４（Ｂ）を参照して、フロートスイッチ４００は、加湿トレー４１ａと連通するフロート槽２４０の前方の本体内部側基板に配設されたリードスイッチ２８０を有する。リードスイッチ２８０は、フロートプレート４１０が有する磁石２７３のＮ極とＳ極の配列と平行になるように設置されている。このように配置することによりリードスイッチのＯＮする範囲を広めることができ、水位検出部２６０の過度な動作を抑制することができる。
【００５３】
図４（Ｂ）に示すようにフロート槽２４０が所定の水位に到達した状態では、フロートプレート４１０が浮上し、内蔵された磁石２７３がリードスイッチ２８０に近接する。この状態においてはＮ極からＳ極に向かう磁力線により形成された磁界によりリードスイッチ２８０のリードにＮ極とＳ極が誘起され、磁気吸引力により接点がＯＮする。また、水位が低下した場合には、フロートプレート４１０が沈下し磁石２７３がリードスイッチ２８０より離れることによりリードスイッチ２８０近傍の磁界が低下するため接点はＯＦＦする。
【００５４】
図４（Ｂ）に示す水位線２９０は加湿トレー４１ａに所定の水が貯水されている満水状態の水位を示すものであり、水位線２９１はリードスイッチ２８０がＯＮ状態となる下限の水位を示すものであり、これより水位が低下するとリードスイッチ２８０がＯＦＦする。リードスイッチ２８０が出力するＯＮ／ＯＦＦ信号は、水位検出信号を示す。加湿トレー４１ａとフロート槽２４０は連通する構造を有し、両方は略同じ水位となり得る。したがって、水位検出信号により、加湿トレー４１ａとフロート槽２４０との両方の水位を表すことができる。
【００５５】
また、図５を参照して、加湿トレー４１ａ側と水槽４側とは樹脂材料の板材である仕切り部５０２によって仕切られている。仕切り部５０２の底部には、図示しない通水孔（後述の図１１の通水孔５０１ａに相当）が形成されている。このため、給水タンク４１から供給された水は、加湿トレー４１ａから、仕切り部５０２の通水孔を通過して、水槽４側に流入し、貯留される。
【００５６】
この通水孔の開口上端位置は、給水タンク４１によって維持される水位よりも十分に低い。つまり、通常、空気清浄機１０００の使用時には、仕切り部５０２の通水孔は水没しているため、この通水孔を通過することによって加湿トレー４１ａ側と水槽４側との間で空気が流入出することはないから、その影響で水面が波打ち、水位が変動することもない。したがって、このような空気流入による波打ちの影響を排除して、リードスイッチ２８０からの信号により水槽４内の水位を表すことができる。フロートスイッチ４００は、加湿トレー４１ａ内に限らず、水槽４内に配設されてもよい。また、ホールＩＣ素子等を用いて水位検出をしてもよい。
【００５７】
（フローチャート）
本実施の形態１に係る機器のお手入れ（清掃、交換等）に関する情報を報知する処理について説明する。空気清浄機１０００に関しては、空気が通過する防塵フィルタ部材は、埃等が付着し汚れることから、適宜、清掃する必要がある。取り分け、吸水フィルタ３１は、空気が通過することで付着する埃等の他に、水で濡れて湿った部分で細菌等が発生し得るから、適宜清掃する必要がある。また、水槽４および加湿トレー４１ａの内部も水垢等が付着し得ることから清掃が必要である。このように水を使用する運転、すなわち加湿モード運転をする場合には、通常の防塵フィルタ部材の清掃に加えて、水周りのお手入れが必要になる。
【００５８】
また、お手入れの時期は空気清浄機１０００の運転時間の長さにより相違する。空気清浄機１０００の運転時に、加湿モード運転時間が長い場合は、短い場合に比較して吸水フィルタ３１等の水周りは汚れ易い。
【００５９】
本実施の形態１では、基本的には、風量を示すファンモータ８２の回転数に応じた係数（重み付け）で運転時間を計測し、計測時間からお手入れランプの点灯時期を決定する。これにより、同じ運転時間の長さであっても、防塵フィルタ等の各種フィルタ等に付着する埃等の汚れが少ないような（風量小）運転がされる場合は、お手入れランプの点灯時期を遅くし、当該汚れが多くなるような（風量大）運転がされる場合は点灯時期を早める。さらに、同じ運転時間の長さであったとしても、水を使用する運転時間の長さに応じて、水周りのお手入れ案内の報知時期を変化させる。すなわち、水の使用（水位検出部により水ありを検知）時間が予め定められた長さを超えた場合は上記の係数（重み付け）を大きくし、早めに水周りのお手入れ案内が報知されるようにする。これにより、運転時間の長さが同じであったとしても、水を使用する運転時間の長さに応じて水周りのお手入れ案内の報知時期を変化させることができる。
【００６０】
本実施の形態では、お手入れ時期を報知するためにランプを点灯すると、ユーザはお手入れを実施しリセットボタンを操作する。リセット操作により、お手入れランプは消灯する。
【００６１】
図７は、本発明の実施の形態１に係る処理フローチャートである。図示されるフローチャートは予めプログラムとして記憶部１０ａに格納される。ＣＰＵは記憶部１０ａからプログラムを読出し実行する。空気清浄機１０００が電源ＯＮされている期間は（言い換えると、図示しない商用電源コンセントにプラグが差し込まれて電源供給される期間は）、プログラムは１秒間に１回の間隔で、繰り返し実行される。なお、フローチャート中で用いられる各種変数は、記憶部１０ａの不揮発性記憶領域に格納される。
【００６２】
まず、ＣＰＵはリードスイッチ２８０の信号から加湿トレー４１ａ，水槽４に水が有るか否かを、上述の水位検出機能を用いて判定する（ステップＳ３）。
【００６３】
水無しと判定すると（ステップＳ３で“水なし”）、ステップＳ７に移行する。水有りと判定すると（ステップＳ３で“水あり”）、ＣＰＵは、変数Ｔ１を１イクリメントする（ステップＳ５）。変数Ｔ１は、水有りと判定した期間、すなわち吸水フィルタ３１等の水周りを使用した期間を計測するための変数である。
【００６４】
ＣＰＵは、回転数検出部２１０の出力からファンモータ８２が運転（ＯＮ）中であるか否かを判定する（ステップＳ７）。回転数検出部２１０の出力から取得する回転数（単位：ｒｐｍ）と予め定められた値を比較することにより運転中であるかを判定する。当該フローチャートは、ファンモータ８２の運転／停止、すなわち空気清浄機１０００の運転／停止にかかわらず定期的に繰返されることで、水周りを使用したトータル期間を、変数Ｔ１を用いた積算（ステップＳ５参照）により計測することができる。
【００６５】
ＣＰＵは、比較結果からファンモータ８２は停止していると判定すると（ステップＳ７で“停止”）、後述するステップＳ１９に移行するが、運転中と判定すると（ステップＳ７で“ＯＮ”）、ファンモータ８２の風量に応じた係数Ｋを取得する（ステップＳ９）。係数Ｋの取得方法については後述する。
【００６６】
また、ＣＰＵは、変数Ｔ１の値と、予め定められた値Ｔａとについて（Ｔ１≧Ｔａ）の条件が成立するか否かを判定する（ステップＳ１１）。値Ｔａは、水周りのお手入れの時期を判定するための予め定められた時間を示し、実験等により取得される。
【００６７】
（Ｔ１≧Ｔａ）の条件は成立しないと判定すると（ステップＳ１１でＮＯ）、後述するステップＳ１７に移行するが、成立すると判定すると（ステップＳ１１でＹＥＳ）、（Ｋ＜１５）の条件が成立するか否かを判定する（ステップＳ１３）。この“１５”は、本実施の形態１では、係数Ｋの基準値を示す。なお、基準値はこれに限定されない。
【００６８】
（Ｋ＜１５）の条件は成立しないと判定すると（ステップＳ１３でＮＯ）、ステップＳ１７に移行するが、成立すると判定すると（ステップＳ１３でＹＥＳ）、係数Ｋに値１５を設定し（ステップＳ１５）、変数Ｔ２の値を（Ｔ２←Ｔ２＋Ｋ）により係数Ｋだけインクリメントして更新する（ステップＳ１７）。変数Ｔ２は、ファンモータ８２が駆動されている時間、すなわち空気清浄機１０００の運転時間のトータル長さを計測するための変数である。
【００６９】
ＣＰＵは、変数Ｔ２の値と、予め定められた値Ｔｂとについて（Ｔ２＜Ｔｂ）の条件が成立するか否かを判定する（ステップＳ１９）。値Ｔｂは、お手入れランプの点灯時期を判定するための予め定められた時間を示し、実験等により取得される。ＣＰＵは、当該条件が成立すると判定すると（ステップＳ１９でＹＥＳ）、お手入れランプを消灯のままとする（ステップＳ２１）。その後、お手入れ後のリセットボタン操作（例えば、３秒押し）がされたか否かを、操作パネル１００からの操作信号に基づき判定する（ステップＳ３１）。
【００７０】
リセット操作されたと判定すると（ステップＳ３１で“実施”）、ＣＰＵは制御信号を出力し、お手入れランプを消灯させるとともに、変数Ｔ１とＴ２に例えば値０をセット（リセット）する（ステップＳ３３）。その後、処理は終了する。
【００７１】
ステップＳ１９に戻り、（Ｔ２＜Ｔｂ）の条件が成立すると判定すると（ステップＳ１９でＮＯ）、すなわち防塵フィルタ等をお手入れする時期が到来したと判定すると、ＣＰＵは制御信号を出力し、お手入れランプを点灯させる（ステップＳ２３）。
【００７２】
つづいて、ＣＰＵは変数Ｔ１の値と、予め定められた値Ｔａとについて（Ｔ１≧Ｔａ）の条件が成立するか否かを判定する（ステップＳ２５）。値Ｔａは、水周りお手入れ時期を判定するための予め定められた時間を示し、実験等により取得される。当該条件が成立すると判定すると（ステップＳ２５でＹＥＳ）、ＣＰＵは、“水周りお手入れ”を案内するガイド情報を表示させるための制御信号を出力する（ステップＳ２７）。表示部１２６は、制御信号に従い、ガイド情報として例えば“加湿フィルタなどの水周りと、前のプレフィルタ、センサ部、後パネルのホコリをお手入れして下さい”等お手入れ場所情報を含めた案内を表示する。
【００７３】
一方、（Ｔ１≧Ｔａ）の条件が成立しないと判定されると（ステップＳ２５でＮＯ）、すなわち、お手入れ時期ではあるけれども、水周りのお手入れ時期には至っていないと判定すると、ＣＰＵは、水周りを除いた“お手入れ”を案内するガイド情報を表示させるための制御信号を出力する（ステップＳ２９）。表示部１２６は制御信号に基づき、ガイド情報として例えば“前のプレフィルタ、センサ部、後パネルのホコリをお手入れして下さい”等お手入れ場所情報を含めた案内を表示する。
【００７４】
ステップＳ２７またはＳ２９の処理後は、ステップＳ３１に移行する。ステップＳ３１でリセット操作がされた場合には、ＣＰＵは制御信号を出力し、表示部１２６によるガイド情報の表示を消去させるとともに、変数Ｔ１とＴ２をリセットする。その後、処理は終了する。
【００７５】
なお、ガイド情報の出力は、表示に限定されず、スピーカ５０１からの音声出力であってもよく、その組合わせであってもよい。
【００７６】
また、お手入れは、一般的には、電源プラグをコンセントから抜いて行われることから、ステップＳ３１では、電源ＯＦＦを検出したとき（ステップＳ３１で“実施”）、ステップＳ３３のリセット処理が実行されるとしてもよい。
【００７７】
（係数Ｋの取得方法）
上記の係数Ｋは、図８のテーブルＴＢ１に示すように、ファンモータ８２の目標回転数に対応した値を示す。テーブルＴＢ１は記憶部１０ａに予め格納されて、ＣＰＵは回転数検出部２１０が検出したファンモータ８２の回転数（目標回転数）をキーにテーブルＴＢ１を検索し、対応する重み係数を読み出すことにより、係数Ｋを取得する。
【００７８】
テーブルＴＢ１は、各運転モードの風量に関連付けて、ファンモータ８２の回転数および重み係数が格納される。テーブルＴＢ１には、実際は、係数の算出式は格納されないが、ここでは、説明のために図示している。テーブルＴＢ１において、重み係数のうち“１５”は上記の基準値であって空気清浄機１０００の機種毎の定格値を示す。また、式に従う算出値の小数点以下は、適宜まるめている。テーブルＴＢ１中のデータは、実験に基づいたデータである。
【００７９】
（お手入れ時期についての積算方法）
ファンモータ８２がＯＮしている時間(停止中みはり含む）を、次の通り積算する。つまり、空気清浄機１０００の運転・手動「中」のファンモータ８２の回転数を基準（重みなし）とし（テーブルＴＢ１参照）、風量ノッチ毎の回転数設定値に比例した「重み係数」を基準“１５”とし、最大“３０”、最小“１０”で算出し、１秒ごとに「重み係数Ｋ」を積算する（図５のステップＳ１７）。
【００８０】
ただし、水有り検出時間の積算値を示す変数Ｔ１が、６０分以上になると、「重み係数」の最小を基準と同じ“１５”とする。すなわち、本実施の形態１では、水検出から遅くても約７２０時間でお手入れランプを点灯させることができるように「重み係数」を設定する（ステップＳ１１でＹＥＳ、ステップＳ１３でＹＥＳおよびステップＳ１５の処理参照）。
【００８１】
お手入れ時間設定値に関して、図９を参照して例示する。基準の重み係数Ｋで７２０時間運転した場合には、15×60（秒）×60（分）×720＝38,880,000と算出される。よって、運転はずっと同じ重み係数であったとすると、各重み係数について水検出から遅くとも図９の表右端に示す時間で、お手入れランプを点灯させることができる。
【００８２】
実施の形態１によれば、基本的には、風量に応じた係数（重み付け）で運転時間を計測し、この計測時間からお手入れランプの点灯時期を決定することができる。さらに、同じ運転時間の長さであったとしても、水を使用する運転時間の長さに応じて、水周りのお手入れ案内の報知時期を変化させることができる。
【００８３】
したがって、加湿モードで運転をしていない（水を使用しない）ユーザと、加湿モード運転をしている（水を使用する）ユーザとでは、提示されるメンテナンスに関するお手入れガイド情報(ランプ、報知音等）を異ならせることができるから、加湿モードを使用しない（水を使用しない）ユーザに対して水周りの清掃を要求する自体を防止することができる。
【００８４】
（実施の形態１の構成）
水を貯水させるための水槽（水槽４，加湿トレー４１ａ）と、送風機と、送風機により空気中の物質を吸込口から捕集する防塵フィルタ部、吸水性及び通気性を有し、且つ送風機からの風を受ける加湿フィルタ部（吸水フィルタ３１）と、情報を報知するための出力部（表示ランプ１２０、表示部１２６）と、制御部（１０）と、を備える加湿装置（空気清浄機１０００）であって、加湿フィルタ部は、一部が水槽内に位置し（図３）、制御部は、送風機による送風時間を計測する時間計測部（Ｔ２、ステップＳ１７）と、計測される送風時間の長さと、防塵フィルタ部の汚れ度合いに相関する係数（重み係数Ｋ）とから、第１時間長さ（ステップＳ１７）を取得する第１時間取得部と、加湿フィルタ部の吸水部分に送風可能な第２時間長さを取得する第２時間取得部（ステップＳ５）と、を含み、取得される第１時間長さと第２時間長さとから、手入れ案内を含むガイド情報を出力部に出力させるか否かを判定する出力判定部（ステップＳ１９、ステップＳ２５）と、を含む。
【００８５】
第１時間長さは、計測される送風時間の長さに亘って係数（重み係数Ｋ）を積算した値を示し（ステップＳ１７）、係数の値は、取得される第２時間長さ従い可変に設定される（ステップＳ１１、ステップＳ１３、ステップＳ１５）。
【００８６】
上記の加湿装置は、水槽内に、水が有るか否かを検出するための水検出部（フロートスイッチ４００，リードスイッチ２８０）を、さらに備え、第２時間取得部は、水検出部により水が有ると検出されている時間長さを、第２時間長さとして取得する（ステップＳ３でＹＥＳ，ステップＳ５におけるＴ１のカウントアップ）。
【００８７】
制御部は、出力判定部が、ガイド情報を出力部に出力させると判定した場合に、発光部を点灯させ（ステップＳ２３）、この点灯状態において、外部から出力要求を受付けたとき、当該ガイド情報を出力部に出力させる。
【００８８】
出力判定部は、第１時間長さと第１閾値とを比較する第１比較部（ステップＳ１９）と、第２時間長さと第２閾値とを比較する第２比較部（ステップＳ２５）と、を有し、第１比較部の第１比較結果および第２比較部の第２比較結果から、ガイド情報を出力部に出力させるか否かを判定する。
【００８９】
出力判定部は、第１比較部の第１比較結果および第２比較部の第２比較結果から、加湿フィルタ部の手入れ案内を含むガイド情報（ステップＳ２７）および当該加湿フィルタ部を除く他の部分の手入れ案内を含むガイド情報（ステップＳ２９）のうちのいずれを出力部に出力させるかを判定する選択的出力判定部を含む。
【００９０】
防塵フィルタ部の汚れ度合いを、送風機の送風量から取得する（ステップＳ９）。
[実施の形態２]
実施の形態１の変形例を説明する。上述の実施の形態１では、リードスイッチ２８０による水検知に基づき、変数Ｔ１による水周りを使用したトータル期間を取得したが、取得方法は、これに限定されない。例えば、空気清浄機１０００は、複数種類の運転モード（送風（加湿なし）モード、加湿（送風＋加湿）モードなど）を有するが、ＣＰＵは加湿モードで運転された時間長さを、タイマを用いて計測することで、変数Ｔ１の値を取得するとしてもよい。
【００９１】
[実施の形態３]
実施の形態１の変形例を説明する。音声ガイダンスの出力態様としては、運転中に変数ＴａまたはＴｂが示すお手入れ設定時間以上になった場合は、他の情報（温度、湿度などの計測情報）の音声出力の機会に、上記のガイド情報を音声出力する。
【００９２】
または、操作パネル１００に音声ガイドボタン１２５に相当する「聞いて」ボタンが設けられている場合には、“プレフィルタお手入れランプが点灯しています。聞いてボタンを押して、お手入れ箇所を確認してください。”とガイド情報を出力する。また、他の情報に併せてお手入れガイド情報を出力する場合には、お手入れガイド情報にユーザの注意を促すように、先にお手入れガイド情報を出力し、続けて他の情報を出力する。
【００９３】
また、ユーザが「聞いて」ボタンを押した場合において、リードスイッチ２８０の水検知を示すＯＮ時間の積算値が６０分未満であれば、“プレフィルタお手入れランプが点灯しています。前のプレフィルタ、センサ部、後ろパネルのホコリをお手入れしてください。”と出力し、６０分以上であれば“プレフィルタお手入れランプが点灯しています。加湿フィルタなどの水周りと、前のプレフィルタ、センサ部、後ろパネルのホコリをお手入れしてください。”と出力してもよい。なお、音声の代わりに、ランプやブザー音を用いた報知であってもよい。
【００９４】
[実施の形態４]
実施の形態１の変形例を説明する。図７の処理は１秒間に１回の間隔で繰返し実行されるから、ステップＳ２７または２９でも繰返し音声が出力される。この場合、予め定めた回数音声を出力した後は、お手入れランプは点灯したままで音声出力のみを停止し、その後は、「聞いて」ボタンが操作されたときにのみ、音声を出力する。これにより、ユーザは繰返し音声出力されることによる、煩わしさを感じることはなく、また、所望する時に「聞いて」ボタンが操作することで音声によるガイド情報を確認することができる。
【００９５】
[実施の形態５]
実施の形態１の変形例を説明する。防塵フィルタ等の汚れ度合いはファン風量に相関する。すなわち風量が少ないと防塵フィルタの汚れは比較的に少なくて済むが、風量が多いと防塵フィルタに付着する塵・埃が多くなり、汚れは比較的に多くなる。したがって、係数Ｋは防塵フィルタの汚れ度合いに相関する係数である。
【００９６】
実施の形態１では、係数Ｋはファン風量（モータ回転数）に応じて決定したが、決定するための要因はファン風量に限定されない。例えば、防塵フィルタの汚れの程度は、温度、季節の種類（夏、冬など）、汚れ検出部１５０による汚れ検出値にも相関することが知られているから、ファン風量に代替して、これらを用いて、またはこれらの２以上を組合わせて、係数Ｋを可変に決定するとしてもよい。
【００９７】
実施の形態１〜５によれば、ユーザの使用方法に応じてお手入れする部分をガイドでき、使用性が向上するとともに正しいメンテナンスを案内することができる。
【００９８】
[実施の形態６]
本実施の形態６では、実施の形態１の空気清浄機１０００が有する給水時期報知の機能を説明する。
【００９９】
図１０は、本発明の実施の形態６に係る給水時期を報知する処理フローチャートである。このフローチャートに従うプログラムは予め記憶部１０ａに格納される。ＣＰＵは当該プログラムを記憶部１０ａから読み出し、定期的に繰り返し実行する。
【０１００】
記憶部１０ａには、加湿トレー４１ａ内は水無し状態であるか、または水有り状態であるかを示す水有無状態データ１０ｂが格納される。
【０１０１】
“水無し”の期間は、すなわち、水有無状態データ１０ｂが“水無し”を示す期間は、給水ランプは点灯・点滅などして給水時期であること報知する。操作パネル１００のリセットボタンを操作した場合などは、給水ランプは消灯する。
【０１０２】
まず、制御部１０のＣＰＵは、リードスイッチ２８０からの水位検出信号を入力する（ステップＴ３）。ＣＰＵは、記憶部１０ａの水有無状態データ１０ｂから、現在、加湿トレー４１ａ内は水無し、または水有りかを判定する（ステップＴ５）。まず、“水無し”と判定された場合（給水ランプは点灯）から説明する。
【０１０３】
ＣＰＵは“水無し”と判定すると（ステップＴ５で“水無し”）、ステップＴ３で入力した水位検出信号が“ＯＮ”を示すか否かを判定する（ステップＴ７）。“ＯＮ”を示さないと判定すると（ステップＴ７でＮＯ）処理を終了するが、“ＯＮ”を示すと判定すると（ステップＴ７でＹＥＳ）、タイマを用いてＯＮを示す状態が１秒間連続するかを判定する（ステップＴ９）。１秒間連続しないと判定すると（ステップＴ９でＮＯ）処理を終了する。
【０１０４】
１秒間連続したと判定すると（ステップＴ９でＹＥＳ）、ＣＰＵは、記憶部１０ａの水有無状態データ１０ｂを“水無し”から“水有り”に書き換え（ステップＴ１１）、給水ランプを消灯させるよう、操作パネル１００に制御信号を出力する（ステップＴ１３）。
【０１０５】
ステップＴ５に戻り、“水有り”と判定すると（ステップＴ５で“水有り”）、ＣＰＵはステップＴ３で入力した水位検出信号が“ＯＦＦ”を示すか否かを判定する（ステップＴ１５）。“ＯＦＦ”を示さないと判定すると（ステップＴ１５でＮＯ）、処理を終了するが、“ＯＦＦ”を示すと判定すると（ステップＴ１５でＹＥＳ）、タイマを用いてＯＦＦを示す状態が６０秒間連続するかを判定する（ステップＴ１７）。６０秒間連続しないと判定すると（ステップＴ１７でＮＯ）、処理を終了する。
【０１０６】
６０秒間連続したと判定すると（ステップＴ１７でＹＥＳ）、ＣＰＵは、記憶部１０ａの水有無状態データ１０ｂを“水有り”から“水無し”に書き換え（ステップＴ１９）、給水ランプを点灯させるために、操作パネル１００に対し制御信号を出力する（ステップＴ２１）。制御信号により給水ランプは点灯開始し、ユーザは給水タンク４１による給水タイミングであることを確認する。
【０１０７】
このプログラムが例えばｔ（ｍｓｅｃ）間に１回実行されるとすると、水位検出信号の“ＯＦＦ”が（６０秒÷（ｔ（ｍｓｅｃ））回連続して検出されると、水有無状態データ１０ｂは“水無し”に書換えられる。同様に、水位検出信号の“ＯＮ”が（１秒÷（ｔ（ｍｓｅｃ））回連続して検出されると、水有無状態データ１０ｂは“水有り”に書換えられる。
【０１０８】
図１０の処理によれば、リードスイッチ２８０のＯＮ/ＯＦＦから加湿トレー４１ａ内の水の有無状態を判定する場合に、リードスイッチ２８０のＯＮ/ＯＦＦ状態が予め定めた時間だけ連続していることをもって判定するとともに、予め定めた時間として、水無しを判定するためのリードスイッチ２８０の連続ＯＦＦ状態の時間を、水有りを判定するためのリードスイッチ２８０の連続ＯＮ状態の時間よりも長くする。
【０１０９】
これにより、加湿トレー４１ａ内の水面の揺れなどでリードスイッチ２８０のＯＮ/ＯＦＦ状態が不安定になった場合でも、空気清浄機１０００の安定動作が可能となる。つまり、吸水フィルタ３１の回転（回転開始／回転停止を含む）に伴い、吸水フィルタ３１からの滴が水槽４内に落下し水面が波打って水位が変動するとしても、波打ちが収束し元に戻るまでの所要時間を、上記の６０秒内に収めることができる。したがって、加湿動作の可否の判定、および給水時期の判定を正確に行うことができ、加湿モード運転の開始／停止が繰り返される、または給水ランプの点灯／消灯が繰り返される事態を回避することができる。
【０１１０】
また、リードスイッチ２８０の連続ＯＮ状態の確認時間を短くすることができるため、給水後すぐに加湿動作を開始させることができる。
【０１１１】
（実施の形態６の構成）
水を貯水させるための水槽（水槽４，加湿トレー４１ａ）と、送風機と、吸水性及び通気性を有し、且つ送風機からの風を受ける加湿フィルタ部（吸水フィルタ３１）と、情報を報知するための出力部（表示ランプ１２０、表示部１２６）と、水槽内に、水が有るか否かを検出するための水検出部（フロートスイッチ４００，リードスイッチ２８０）と、制御部（１０）と、を備える加湿装置（空気清浄機１０００）であって、加湿フィルタ部は、一部が水槽内に位置し（図３）、制御部は、水検出部の出力から水槽内の水の有無を示す有無情報を格納する格納部（記憶部１０ａ）と、水検出部の出力に基づく報知をする報知部（ステップＴ１３，ステップＴ２１）と、を含む。制御部は、既に格納された有無情報が“無し”を示す場合に、水検出部が第１時間に亘り連続して“有り”を出力するとき、報知部に“水有り”を報知させ（ステップＴ５，Ｔ７〜Ｔ１３）、また、既に格納された有無情報が“有り”を示す場合に、水検出部が第１時間よりも長い第２時間に亘り連続して“無し”を出力するとき、報知部に“水無し”を報知させる（ステップＴ５，Ｔ１５〜Ｔ２１）よう構成される。
【０１１２】
[実施の形態７]
実施の形態６の変形例を説明する。実施の形態６では、判定のための基準時間として“１秒”，“６０秒”を用いたが、これは可変であってよい。たとえば、加湿フィルタユニット３の停止時に吸水フィルタ３１の折り目が斜めになっていると、時間の経過により水滴の自重により水槽４に戻る。また、吸水フィルタ３１の折り目が水槽４内の底面（水面）に垂直に立つように設置されている場合は、傾き角度をもって斜めに立つように設置されている場合よりも上記の水滴は早く落下する。したがって、垂直設置の場合は基準時間を“６０秒”とし、斜め設置の場合は６０秒よりも長い時間に設定する。
【０１１３】
また、報知の態様は、給水ランプを用いたが、音声出力または絵柄の表示などであってもよく、また、これらの組み合わせであってもよい。
【０１１４】
[実施の形態８]
上記の各実施の形態の変形例を示す。空気清浄機１０００は、加湿トレー４１ａにフロートスイッチ４００およびリードスイッチ２８０による水位検出部を備えたが、加湿トレー４１ａ側ではなく、加湿フィルタユニット３が配設される水槽４内に設ける。この場合には、フロートプレート４１０は、その可動範囲が水平よりも上方に回動するように、支持軸４２０によって支持される。
【０１１５】
つまり、運転時は、加湿フィルタユニット３の手前に設けたファン８１からの送風を受けることにより、水槽４側が負圧になることにより、水面が上昇する。また、運転停止時には常圧にもどることで水面が下降する。したがって、運転停止時に、水検知にて水有り判定となっていても動作時に加湿フィルタユニット３側が負圧になり、加湿トレー４１ａのフロートスイッチ４００側の水面が水槽４側に引かれて、水面が下がることで水無し判定となり、判定が安定しない可能性があった。
【０１１６】
これを防止するために、本実施の形態では、加湿フィルタユニット３が設置される水槽４側にフロートスイッチ４００を設ける。そして、フロートスイッチ４００のフロートプレート４１０に係るストッパ部材である水平係止部を外すことで、フロートプレート４１０が上方回動可能にして、水槽４側の水面が上下に連動して検知できるようにする。
【０１１７】
本実施の形態によれば、運転時、停止時で水検知が不安定な判定となることを防止できる。また、フロートスイッチ４００を、水平係止部を設けない簡単な構成とすることができる。
【０１１８】
[実施の形態９]
空気清浄機１０００は、給水タンク４１内の水質判定機能を備える。具体的には、給水タンク４１の内部壁面に１つ以上の電極対を設ける。電極は例えば、針形状であり、電気を通し易く、腐食しにくい材料からなる。なお、形状は針形状に限定されない。
【０１１９】
運転開始後は定期的に、電極に電圧を印加し、電極間を流れる電流と電圧から導電率を算出し、その値によって給水タンク４１内の水の汚れ具合を判定する。電極は給水タンク４１内だけでなく、加湿トレー４１ａ内にも設置して良い。判定した汚れ具合は、操作パネル１００の表示ランプ１２０にて点灯報知する。また、ランプの点滅やブザー音で報知しても良い。
【０１２０】
また、給水タンク４１がタンク受け４０から外された場合は、安全面を考慮し、電極への電圧印加を停止する。また、計測される温度、湿度によって導電率の閾値（水の汚れ具合の判定閾値）を可変に変更する。
【０１２１】
また、導電率が特定の閾値に達したときは、計測される温度、湿度に応じ報知する時期または態様を変更する。特定の温度、湿度を計測した場合、強制的に水質判定制御を実行する。また、導電率が特定の閾値に達した場合は強制的に加湿運転を停止する。
【０１２２】
また、給水タンク４１を清掃中に電極を傷めないよう、またはユーザがけがをしないよう、電極が設けられた部位に電極を覆うカバーを設けてもよい。
【０１２３】
[実施の形態１０]
図１１は、本発明の実施の形態１０に係る水槽４内の汚れを検出するための構成図である。本実施の形態１０では、使用に伴う水槽４の汚れ、菌による水槽４内の水の汚染度合を、検出するために、水槽４に関連して発光部５１６ａと受光部５１６ｂとを備える。
【０１２４】
具体的には、水槽４の壁面には、発光部５１６ａと受光部５１６ｂが形成される。発光部５１６ａと受光部５１６ｂは、加湿フィルタユニット３により投受光が遮られない位置に設けられる。発光部５１６ａと受光部５１６ｂが設けられる水槽４の壁部は、光透過機能を有する、２００−８００ｎｍの波長の光に大きな吸収を持たない材質、例えば石英などで形成する。
【０１２５】
動作において、発光ダイオードなどの発光部５１６ａからの出射光は、光電変換素子に相当する受光部５１６ｂにより受光される。ＣＰＵは、受光部５１６ｂから出力される受光強度を示す電気信号から、Lambert-Beerの法則に従い吸光度を導出する。
【０１２６】
ＣＰＵは、吸光度に従う汚れ度合いを、予め定められたテーブル等を検索して取得し、取得した汚れ度合いから表示ランプ１２０を点灯・点滅等して、汚れの程度を報知する。この方式は、従来の電極センサ式の汚れ検知に比べて、電極の劣化等の問題がない点で優れている。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２８】
２ａ  吸込口（プレフィルタ）、３  加湿フィルタユニット、４  水槽、１０  制御部、１０ａ  記憶部、１０ｂ  水有無状態データ、３１  吸水フィルタ、４１  給水タンク、４１ａ  加湿トレー、１００  操作パネル、１２０  表示ランプ、１２６  表示部、１５０  汚れ検出部、２１０  回転数検出部、２４０  フロート槽、２６０  水位検出部、２８０  リードスイッチ、４００  フロートスイッチ、４１０  フロートプレート、４２０  支持軸、５０１  スピーカ、１０００  空気清浄機。
【図１】
2015040688.tif 000003
【図２】
2015040688.tif 000004
【図３】
2015040688.tif 000005
【図４】
2015040688.tif 000006
【図５】
2015040688.tif 000007
【図６】
2015040688.tif 000008
【図７】
2015040688.tif 000009
【図８】
2015040688.tif 000010
【図９】
2015040688.tif 000011
【図１０】
2015040688.tif 000012
【図１１】
2015040688.tif 000013